(57)【特許請求の範囲】
【請求項１】
被取付部に取り付けられるＬＥＤランプ本体と、前記ＬＥＤランプ本体に取り付けられる透光性カバーとを備えたＬＥＤ照明装置であって、
前記ＬＥＤランプ本体は、
ベース部材と、
前記ベース部材を前記被取付部に取り付ける取付部と、
前記取付部よりも外周側において前記ベース部材に配設される点灯基板と、
前記点灯基板に電気的に接続されるＬＥＤ基板と、
前記ＬＥＤ基板に実装されるＬＥＤ素子と、
前記ＬＥＤ基板を支持する基板固定台とを有し、
前記基板固定台は、断熱性を有する部材から形成されて前記ベース部材の周縁部から中心部に向かって前記ＬＥＤランプ本体を天井面に取り付けた場合の床面側に傾斜し、
前記ＬＥＤ基板は、前記基板固定台に支持されて前記ベース部材の周縁部から中心部に向かって前記ＬＥＤランプ本体を天井面に取り付けた場合の床面側に傾斜して配置され、
前記ＬＥＤランプ本体は、前記取付部から延びるようにして形成された取付延出部を有していることを特徴とするＬＥＤ照明装置。
【請求項２】
請求項１に記載されたＬＥＤ照明装置であって、前記取付延出部は、円筒状に形成され、前記透光性カバーに設けられた開口部に隙間なく固定されることを特徴とするＬＥＤ照明装置。
【請求項３】
請求項１又は請求項２のいずれかに記載されたＬＥＤ照明装置であって、前記ベース部材の周縁部は、ベース部材の中心部より前記ＬＥＤランプ本体を天井面に取り付けた場合の床面側に位置し、前記基板固定台は、前記ベース部材の周縁部より前記中心部側でベース部材に固定されていることを特徴とするＬＥＤ照明装置。
【請求項４】
請求項１乃至請求項３のいずれかに記載されたＬＥＤ照明装置であって、前記基板固定台に常夜灯が配設されることを特徴とするＬＥＤ照明装置。
【請求項５】
請求項１乃至請求項４のいずれかに記載されたＬＥＤ照明装置であって、前記ＬＥＤ基板上に常夜灯が配設されることを特徴とするＬＥＤ照明装置。
【請求項６】
請求項１乃至請求項５のいずれかに記載されたＬＥＤ照明装置であって、前記ＬＥＤランプ本体の高さ方向において、前記ＬＥＤ基板の一部が、前記点灯装置と重畳して、前記ＬＥＤランプ本体を天井面に取り付けた状態において前記点灯装置の下方に位置していることを特徴とするＬＥＤ照明装置。
【請求項７】
請求項６に記載されたＬＥＤ照明装置であって、前記ＬＥＤ基板は、前記点灯基板の電子部品の一部と前記ＬＥＤランプ本体の高さ方向において重ならないように切り欠きが形成されていることを特徴とするＬＥＤ照明装置。
【請求項８】
請求項１乃至請求項７のいずれかに記載されたＬＥＤ照明装置であって、前記点灯基板と前記ＬＥＤ基板とはケーブルを介して電気的に接続され、前記ケーブルは、前記ＬＥＤ基板に配設されたケーブル用接続端子に接続されることを特徴とするＬＥＤ照明装置。
【請求項９】
請求項１乃至請求項８のいずれかに記載されたＬＥＤ照明装置であって、前記点灯基板の裏面は、前記ベース部材に配設されていることを特徴とするＬＥＤ照明装置。
【請求項１０】
請求項１乃至請求項９のいずれかに記載されたＬＥＤ照明装置であって、前記ベース部材は円盤形状に形成され、前記ＬＥＤ素子は、前記ベース部材の前記円盤形状の中心軸を中心とした複数の円周上に配置されていることを特徴とするＬＥＤ照明装置。
【請求項１１】
請求項１乃至請求項１０のいずれかに記載されたＬＥＤ照明装置であって、前記ベース部材と前記透光性カバーの間が密閉されていることを特徴とするＬＥＤ照明装置。
【発明の詳細な説明】
【技術分野】
【０００１】
本発明は、ＬＥＤ素子を光源に使用したＬＥＤ照明装置に係り、特に天井に設置された引掛シーリングボディに接続される天井直付け型シーリングライトのＬＥＤ照明装置の改良に関するものである。
【背景技術】
【０００２】
近年、環境意識の高まりから、省電力化に優れたＬＥＤ素子を光源に使用した、電源内蔵型の電球型ＬＥＤランプが普及してきた。特に、最近は、天井直付け型のシーリングライトや、天井から吊り下げられて室内を照らす吊下げ型照明機器においても、ＬＥＤ素子を使用した照明装置が開発され、市場に導入されてきている。
【０００３】
この天井直付けシーリングライトは、例えば、天井面に取り付けられた引掛シーリングボディに、引掛シーリングアダプタを取り付けた照明装置を装着したものであり、特に最近は厚みの薄いシーリングライトが検討されている（例えば、特許文献１、２、４等参照）。
【０００４】
この特許文献１に記載されている照明装置は、複数のＬＥＤ素子を光源とし、基板と基板表面に実装された複数のＬＥＤ素子を一体に覆う透光性カバー部材を有し、ＬＥＤ素子を覆う部分の形状を、ＬＥＤ素子を略中心とする半球形状とする。それによって、ＬＥＤ素子から放射された光束の取り出し効率の高い照明装置が提供される。また、特許文献２に記載されている照明装置は、天井に取付可能な器具本体と、器具本体の床側面において環状に設けられた複数のＬＥＤ発光部と床側凸部に収容され天井に器具本体を取り付けるための取付部と、床側凸部に収容され各ＬＥＤ発光部へ電力を供給する電源部と、各ＬＥＤ発光部を覆うように器具本体に取り付けられるカバーと、を備えたものであり、各ＬＥＤ発光部が、器具本体の床側面におけるカバーに近い位置に設けられ、輝度むらを防止できる照明器具が提供される。
【０００５】
しかしながら、これらの特許文献１や２に記載されている照明装置においては、ＬＥＤ素子が透光性カバーとセードや、レンズとカバーで二重に覆う保護カバー構造であり、構成が複雑となり、また、その結果、製造にて手間やコストを要する問題があった。
【０００６】
一方、吊下げ型照明機器としては、天井からコードにて吊下げられる照明機器で、特に広範に室内を照らすことも検討されている（例えば、特許文献３等参照）。この特許文献３に記載されている照明器具は、側面視において、各ＬＥＤ素子の光軸を斜めとして、広範に室内を照らすことを可能とした吊下げ照明器具を提供するものである。
【０００７】
しかし、この特許文献３に記載されている照明器具においては、ペンダント型と呼ばれる吊下げ型照明器具に限定されており、引掛シーリングボディに接続される天井直付け型シーリングライトには対応が難しい構造の照明器具となっている。
【０００８】
更に、特許文献４に記載されている照明器具は、器具取付面に設置された配線器具に取付けられる取付部を有する本体と、取付部の外周側に配設される点灯装置と、前面側に実装面が設けられ点灯装置の外側に点灯装置と重なり合わないように裏面側が本体に配設された基板と、半径の異なる略同心円の円周上に複数の列をなし、略等間隔の離間距離において、基板に実装されたＬＥＤ素子とを具備している。それにより、簡素化された構成で、ＬＥＤ素子の温度上昇を抑制しやすく、ＬＥＤ素子から出射される光のイメージを均一化できる照明器具を提供するものである。
【０００９】
しかし、この特許文献４に記載されている照明器具においては、点灯装置の外側に点灯装置と重なり合わないように、ＬＥＤ基板が配設されているため、周方向（幅方向）に大きな寸法を要し、結果として省スペース化が困難である問題を伴っていた。
【先行技術文献】
【特許文献】
【００１０】
【特許文献１】特開２０１３−２６５８８号公報
【特許文献２】特開２０１３−４５６３０号公報
【特許文献３】特許第５０５５４５６号公報
【特許文献４】特許第５１２６６３５号公報
【発明の概要】
【発明が解決しようとする課題】
【００１１】
本発明が解決しようとする課題は、上記の問題点に鑑み、簡易な構造でありながら広く均一な照射を確保しつつ省スペース化を実現することができると同時に、天井面の引掛シーリングボディに簡単に取り付けることができるＬＥＤ照明装置を提供することにある。
【課題を解決するための手段】
【００１２】
本発明は、上記の課題を解決するための第１の手段として、被取付部に取り付けられるＬＥＤランプ本体と、このＬＥＤランプ本体に取り付けられる透光性カバーとを備えたＬＥＤ照明装置であって、ＬＥＤランプ本体は、ベース部材と、このベース部材を被取付部に取り付ける取付部と、この取付部よりも外周側においてベース部材に配設される点灯基板と、この点灯基板に電気的に接続されるＬＥＤ基板と、このＬＥＤ基板に実装されるＬＥＤ素子と、ＬＥＤ基板を支持する基板固定台とを有し、この基板固定台は、断熱性を有する部材から形成されて前記ベース部材の周縁部から中心部に向かって前記ＬＥＤランプ本体を天井面に取り付けた場合の床面側に傾斜し、ＬＥＤ基板は、基板固定台に支持されてベース部材の周縁部から中心部に向かって前記ＬＥＤランプ本体を天井面に取り付けた場合の床面側に傾斜して配置され、ＬＥＤランプ本体は、取付部から延びるようにして形成された取付延出部を有していることを特徴とするＬＥＤ照明装置を提供するものである。
【００１３】
本発明は、上記の課題を解決するための第２の手段として、上記第１の解決手段において、取付延出部は、円筒状に形成され、透光性カバーに設けられた開口部に隙間なく固定されることを特徴とするＬＥＤ照明装置を提供するものである。
【００１４】
本発明は、上記の課題を解決するための第３の手段として、上記第１又は第２のいずれかの解決手段において、ベース部材の周縁部は、ベース部材の中心部よりＬＥＤランプ本体を天井面に取り付けた場合の床面側に位置し、基板固定台は、ベース部材の周縁部より中心部側でベース部材に固定されていることを特徴とするＬＥＤ照明装置を提供するものである。
【００１５】
本発明は、上記の課題を解決するための第４の手段として、上記第１乃至第３のいずれかの解決手段において、基板固定台に常夜灯が配設されることを特徴とするＬＥＤ照明装置を提供するものである。
【００１６】
本発明は、上記の課題を解決するための第５の手段として、上記第１乃至第４のいずれかの解決手段において、ＬＥＤ基板上に常夜灯が配設されることを特徴とするＬＥＤ照明装置を提供するものである。
【００１７】
本発明は、上記の課題を解決するための第６の手段として、上記第１乃至第５のいずれかの解決手段において、ＬＥＤランプ本体の高さ方向において、ＬＥＤ基板の一部が、点灯装置と重畳して、ＬＥＤランプ本体を天井面に取り付けた状態において点灯装置の下方に位置していることを特徴とするＬＥＤ照明装置を提供するものである。
【００１８】
本発明は、上記の課題を解決するための第７の手段として、上記第６の解決手段において、ＬＥＤ基板は、点灯基板の電子部品の一部とＬＥＤランプ本体の高さ方向において重ならないように切り欠きが形成されていることを特徴とするＬＥＤ照明装置を提供するものである。
【００１９】
本発明は、上記の課題を解決するための第８の手段として、上記第１乃至第７のいずれかの解決手段において、点灯基板とＬＥＤ基板とはケーブルを介して電気的に接続され、このケーブルは、ＬＥＤ基板に配設されたケーブル用接続端子に接続されることを特徴とするＬＥＤ照明装置を提供するものである。
【００２０】
本発明は、上記の課題を解決するための第９の手段として、上記第１乃至第８のいずれかの解決手段において、点灯基板の裏面は、ベース部材に配設されていることを特徴とするＬＥＤ照明装置を提供するものである。
【００２１】
本発明は、上記の課題を解決するための第１０の手段として、上記第１乃至第９のいずれかの解決手段において、ベース部材は円盤形状に形成され、ＬＥＤ素子は、ベース部材の円盤形状の中心軸を中心とした複数の円周上に配置されていることを特徴とするＬＥＤ照明装置を提供するものである。
【００２２】
本発明は、上記の課題を解決するための第１１の手段として、上記第１乃至第１０のいずれかの解決手段において、ベース部材と透光性カバーの間が密閉されていることを特徴とするＬＥＤ照明装置を提供するものである。
【発明の効果】
【００２３】
本発明によれば、上記のように、ＬＥＤ基板が、ベース部材の外周部から中心部に向かってＬＥＤランプ本体を天井面に取り付けた場合の床面側に傾斜して配置されているため、二次元的にはＬＥＤ素子の充分な取付面積を確保しつつ、ＬＥＤランプ本体を天井面に取り付けた場合の床面側から見た場合の投影面積を小さくすることができるため、充分な光量を確保しつつ、省スペース化を図ることができる実益がある。
【００２４】
同時に、本発明によれば、上記のように、ＬＥＤ基板が、ベース部材の外周部から中心部に向かってＬＥＤランプ本体を天井面に取り付けた場合の床面側に傾斜して配置されているため、前面（天井に取り付けた場合の床面）側の同一方向にのみ照射する場合と比べて、床面に対して複数の角度をもって照射することができるため、ＬＥＤ素子を円周上に配置していることと相俟って、小型でありながらも影なく、広く均一に照射することができる実益がある。
【００２５】
更に、本発明によれば、上記のように、ベース部材と透光性カバーの間が密閉されていると共に、取付延出部が透光性カバーに設けられた開口部に隙間なく固定されているため、透光性カバー自体がＬＥＤ素子を保護する機能も併せ持つため、内部のＬＥＤ素子自体にカバーをする必要がなく、簡易な構造とすることができ、手間とコストを要することなく、製造することができる実益がある。
【００２６】
加えて、本発明によれば、上記のように、取付部から延びる取付延出部を有しているため、ＬＥＤランプ本体を被取付面に取り付ける際に、この取付延出部を把持しながら取付作業をすることができるため、天井面の引掛シーリングボディに簡単に取り付けることができると同時に、透光性カバーのＬＥＤランプ本体への取付も容易となり、良好な施工性を確保することができ実益がある。
【図面の簡単な説明】
【００２７】
【図１】本発明のＬＥＤ照明装置の被照射面側から見た取り付け前外観斜視図である。
【図２】本発明のＬＥＤ照明装置の垂直断面図である。
【図３】本発明のＬＥＤ照明装置の分解斜視図である。
【図４】本発明のＬＥＤ照明装置の基板固定台の斜視図である。
【図５】本発明のＬＥＤ照明装置の透光性カバーを外した状態の外観斜視図である。
【図６】本発明のＬＥＤ照明装置の透光性カバーを外した状態の上面図である。
【図７】本発明のＬＥＤ照明装置の断面図の一部拡大図である。
【発明を実施するための形態】
【００２８】
以下に本発明の好適な実施の形態について、図面を参照しながら詳細に説明する。なお、本実施形態は一例であり、これに限定されるものではない。
【００２９】
図１乃至図３は、本発明のＬＥＤ照明装置１００の実施の形態の一つを示し、この本実施形態に係わるＬＥＤ照明装置１００は、図１乃至図３に示すように、天井面４等の被取付部に取り付けられるＬＥＤランプ本体１と、このＬＥＤランプ本体１を覆う透光性カバー３とを備えている。
【００３０】
このＬＥＤ照明装置１００は、特に図２に示すように、天井面４にあらかじめ設置されている被取付部であるロゼット６に、外部電源線と接続するための引掛シーリングボディ５を装着し、この引掛シーリングボディ５にＬＥＤランプ本体１を着脱自在に装着することにより、天井面４に設置される。この天井面４にＬＥＤ照明装置１００が装着されるときに、引掛シーリングボディ５と透光性カバー３を取り付けたＬＥＤランプ本体１の取付部１１とが接続され、ＬＥＤ照明装置１００はシーリングライトとして使用可能となる。なお、被取付部としてのロゼット６が天井面４に設けられていれば、天井面４に、新たに特別な補強を施すことなく、施工性良くＬＥＤ照明装置１００を取付けることができる。
【００３１】
（１．ＬＥＤランプ本体）
ＬＥＤランプ本体１は、ベース部材１０と、このベース部材１０を天井面４等の被取付部に取り付ける取付部１１と、この取付部１１よりも外周側においてベース部材１０に配設される点灯基板１３と、この点灯基板１３に電気的に接続されるＬＥＤ基板１５と、このＬＥＤ基板１５に実装されるＬＥＤ素子１６とを有している。
【００３２】
（１．−１  ベース部材）
ベース部材１０は、冷間圧延鋼板（ＳＰＣＣ）等の金属材料を使用して、打抜加工、プレス加工、折曲加工等によって作成されて、表面が塗装される。このベース部材１０は、図２及び図３に示すように、円盤形状に形成される。なお、このベース部材１０の周縁部１０ａは、図２及び図３に示すように、ベース部材１０の中心部より前面側（天井面４に取り付けた場合の床面側）に位置するように環状に加工されている。
【００３３】
（１．−２  取付部）
この円盤状に形成されたベース部材１０は、その中心部に円形の開口が形成され、この開口内に、引っ掛けシーリングボディ５に回動により係止することができる取付部１１が形成されている。
【００３４】
（１．−３  取付延出部）
また、ＬＥＤランプ本体１には、図２及び図３に示すように、この取付部１１の開口の縁部から延びるようにして円筒状に形成された取付延出部１２が前面側に形成されている。ＬＥＤランプ本体１を被取付面に取り付ける際に、この取付延出部１２を把持することにより、作業性が高まる。この取付延出部１２は、前面側の端面で、後述する透光性カバー３の円形開口部に接続された後、透光性カバー３の蓋３１を回動により取付けることにより、取付部１１が外部より目視出来ないようにして、ＬＥＤ照明装置１００を形成する。
【００３５】
（１．−４  点灯基板）
また、ベース部材１０の中心部には、図２及び図３に示すように、取付延出部１２を取巻くように点灯基板１３が配設されている。この点灯基板１３の電子部品が搭載されていない裏面を、ベース部材１０に配設することにより、点灯基板１３から発生する熱をベース部材１０を通じて放熱することが可能となる。
【００３６】
また、この点灯基板１３を構成する電子部品としては、過電流保護、ノイズカット、整流、平滑、調光制御などを行うための各種ダイオード、コンデンサ、ＩＣ、抵抗などの公知の電子部品を使用することができる。
【００３７】
（１．−５  基板固定台）
本発明のＬＥＤ照明装置１００は、図２乃至図４に示すように、ＬＥＤ基板１５を支持する基板固定台１４を更に有している。この基板固定台１４は、図２乃至図４に示すように、ベース部材１０の周縁部１０ａから中心部に向かって前面側（ＬＥＤランプ本体１を天井面４に取り付けた場合の床面側）に向けて傾斜して形成されている。
【００３８】
図示の実施の形態では、複数の基板固定台１４がベース部材１０の周縁部１０ａから中心部に向かって前面側に傾斜するようにしてベース部材１０に配設され、図３及び図５に示すように、全体として、環状となるように配列されている。
【００３９】
これらの基板固定台１４は、特に図４に示すように、平面的に見た場合に、ベース部材１０の中心部に近づくに連れ、幅が狭くなる略台形状に形成され、その略台形状の上底と下底に傾斜を付けるために裏側に凸部が設けられている。下底の端部である２箇所と、下底中央部から上底方向に設けられた凸部先端の１箇所の、合計の３箇所でベース部材１０に固定されている。３箇所で固定することにより片側支持を避けることが出来、振動等に対する固定強度を向上させることが出来る。
【００４０】
また、この基板固定台１４は、取付けられるＬＥＤ基板１５の熱をベース部材１０側に伝えないように、断熱性を有する樹脂材料を使用して、射出加工等によって作成される。基板固定台１４は、強度を妨げない程度に、中心部に貫通穴を設けて、軽量化、熱対流によるＬＥＤ基板１５の放熱を促進している。なお、図示の実施の形態では、図３に示すように、複数の基板固定台１４を組み合わせて、環状の構造としたが、ＬＥＤ基板１５が取付けられる構造であれば、一体の基板固定台１４として組み立て工数の削減を図ることもできる。
【００４１】
（１．−６  ＬＥＤ基板）
ＬＥＤ基板１５は、図３及び図５、図６に示すように、この基板固定台１４上に取り付けられてベース部材１０上に固定される。また、このＬＥＤ基板１５は、図３及び図５、図６に示すように、基板固定台１５に対応した略台形状の形状に形成され、複数の基板固定台１４上に設置されることにより、基板固定台１４と同様に環状に配置される。
【００４２】
このＬＥＤ基板１５には、図５及び図６に示すように、ＬＥＤ素子１６が、ベース部材１０の垂直方向の中心軸を中心とした複数の円周上に配置され、一つの円周上のＬＥＤ素子１６が他の円周上のＬＥＤ素子１６と、ベース部材１０の中心軸からの放射方向における位置をずらして千鳥状の関係を構成するように配置されている。それにより、ＬＥＤ基板１５は、透光性カバー３が均一な明るさになるＬＥＤ基板１５を構成し、基板固定台１４に固定されている。
【００４３】
また、このＬＥＤ基板１５は、円環形状の平板で、両面に銅箔が貼られたガラスエポキシ基板から成り、片面側にＬＥＤ素子１６と電子部品とが実装されている。ＬＥＤ素子１６の搭載面側に、高反射シートを貼合することや、高反射用樹脂を塗布することにより、光取り出し効率を改善することができる。
【００４４】
さらに、基板固定台１４に取り付けられたＬＥＤ基板１５は、図７に示すように、ベース部材１０の周縁部１０ａよりベース部材１０の中心部側において、部分的に点灯基板１３と直交する方向において位置するようにベース部材に配設されている。即ち、ＬＥＤランプ本体１の高さ方向において、ＬＥＤ基板１５の一部が、点灯装置１３と重畳して、ＬＥＤランプ本体１０を天井面４に取り付けた状態において点灯装置１３の下方に位置している。これにより、基板固定第１４により充分な放熱効果を確保しつつ、省スペース化を図ることができる。即ち、ＬＥＤ基板１５の全体を点灯装置１３の外側に配置させなくても、放熱することができるため、省スペース化を図ることができる。
【００４５】
なお、この場合、このＬＥＤ基板１５には、図６に示すように、点灯基板１３に搭載されている高背の電子部品、例えばコンデンサ１９、トランス等を避けるように、切り欠き１８が形成されている。これにより、ベース部材１０の周縁部１０ａから中心部に向かって前面側に傾斜するように配設されているＬＥＤ基板１５の傾斜角を小さくすることが出来、広く均一に照らせる省スペース化のＬＥＤ照明装置が実現できる。
【００４６】
また、ＬＥＤ基板１５に切り欠き１８を設けることで、ＬＥＤ照明装置１００におけるＬＥＤ基板１５の面積を大きくでき、ＬＥＤ基板１５によるＬＥＤ素子出射光の反射面積を増やすことができる。これにより、ＬＥＤ素子出射光の反射効率が上がって、ＬＥＤ照明装置１００の効率が上がる。
【００４７】
図示の実施の形態では、図６に示すように、全てのＬＥＤ基板１５に同様な切り欠き１８を形成している。事前に点灯基板１３の電子部品の配置をＬＥＤ基板１５の切り欠き１８に合わせて検討することにより、ＬＥＤ基板１５の切り欠き位置を統一したＬＥＤ基板１５とすることができ、基板の種類を減少させてコストの削減に貢献することができる。
【００４８】
このＬＥＤ基板１５は、図５及び図６に示すように、ケーブルを介して点灯基板１３に電気的に接続され、このケーブルは、ＬＥＤ基板１５に配設されたケーブル用接続端子２１に接続される。このケーブル用接続端子２１は、図５及び図６に示すように、複数のＬＥＤ基板１５のうち、任意のＬＥＤ基板１５に配設されて、ケーブルに接続される。この場合、さらに、図５及び図６に示すように、このケーブル用接続端子２１が配設されたＬＥＤ基板１５から、他の複数のＬＥＤ基板同士を接続線１７で接続することにより、電気的に接続された環状のＬＥＤ基板１５を構成している。
【００４９】
この場合、点灯基板１３とＬＥＤ基板１５を接続するケーブルは、取付部の外縁部である取付延出部１２に形成されたケーブル固定部材２０を介して配線される。ケーブル固定部材２０を用いることにより、ケーブルの長さ調整が行いやすく、断線防止が可能となり、組み立て工数の削減や信頼性向上が可能となる。
【００５０】
なお、図示の実施の形態では、基板固定台１４にＬＥＤ基板１５を固定して傾斜させる構成としているが、必ずしも、これに限定されるものではなく、ＬＥＤ基板１５自体にＬＥＤ基板１５をベース部材１０の周縁部１０ａから中心部に向かって前面側に傾斜するような補助部材を加えて、ＬＥＤ基板１５を直接ベース部材１０に固定するような構造とすることもできる。
【００５１】
（１．−７  ＬＥＤ素子）
なお、このＬＥＤ基板１５に実装されるＬＥＤ素子１６としては、公知の種々のＬＥＤを用いることができる。図示の実施の形態では、照明用の白色光を発光する高輝度タイプのＬＥＤ素子が用いられている。
【００５２】
（１．−８  ＬＥＤランプ本体の組付）
上述したＬＥＤランプ本体１を構成するベース部材１０、点灯基板１３、基板固定台１４、ＬＥＤ基板１５の相互の位置関係について図７を参照しながら説明する。まず、図７に示すように、ベース部材１０の周縁部１０ａと取付延出部１２の間に、点灯基板１３と、基板固定台１４、ＬＥＤ基板１５が配設されている。基板固定台１４は、ベース部材１０の周縁部１０ａより高さ（ｈ）分だけ背面側（ＬＥＤランプ本体１を天井面４に取り付けた場合における天井面側）に位置している中心部側に、ベース部材１０の周縁部１０ａから中心部に向かって前面側に傾斜するように配設されている。この場合、基板固定台１４を、ベース部材１０の周縁部１０ａより内周側に配設することにより、透光性カバー３とＬＥＤ基板１５の端部との距離を長く設定することが可能となる。これにより、特に透光性カバー３に光拡散面が形成されている場合は、ＬＥＤ素子１６の出射光位置が判断できない程度に、広い範囲を均一に照らすことが可能となる。
【００５３】
また、ＬＥＤ基板１５は、図７に示すように、基板固定台１４に固定されて、ベース部材１０の周縁部１０ａから中心部に向かって前面側に傾斜するように配設されている。また、このＬＥＤ基板１５の一部は、図7に示すように、ＬＥＤランプ本体１の高さ方向において、点灯装置１３と重畳して、ＬＥＤランプ本体１０を天井面４に取り付けた状態において点灯装置１３の下方に位置している。この位置関係により、ＬＥＤ照明装置１００全体の全幅（直径）を小さくして省スペース化を実現しつつ、ＬＥＤ素子１６からの発光を広く均一に照らすことができる。
【００５４】
（１．−８  常夜灯）
なお、図６に示すように、ＬＥＤ基板１５の適宜の位置に常夜灯２２を配設することにより、透光性カバー３に影が出にくく全体をやさしく照らす常夜灯とすることが可能となる。また、常夜灯２２は、基板固定台１４のＬＥＤ基板１５が固定されていない適宜の位置に配設することもできる。
【００５５】
（２．透光性カバー）
一方、透光性カバー３は、図１に示すように、ポリカーボネート等の熱可塑性プラスチックを使用して、頂上部に円形の開口部を有する円形のドーム形状に成型されている。この透光性カバー３は、特に図２及び図７に示すように、ＬＥＤランプ本体１を密閉するようにＬＥＤランプ本体１に取り付けられている。具体的には、特に図２及び図７に示すように透光性カバー３の周縁部と、ベース部材１０の周縁部１０ａは、端部同士に隙間が出ないように固定されている。また、透光性カバー３の頂上部の開口部は、ＬＥＤランプ本体１の取付延出部１２と隙間がないように固定され、蓋３１を回動させることにより開口部が閉じられる。
【００５６】
これにより、ベース部材１０と透光性カバー３の間が密閉されて、ＬＥＤ照明装置１００の設置時におけるＬＥＤ素子１６の保護ができ、従来のように、別にＬＥＤ素子１６を保護するカバーを設ける必要がなくなる。透光性カバー３が、ＬＥＤ素子１６を保護するカバーの機能を併せ持つので、コストを低減することが可能になる。さらに、ベース部材１０と透光性カバー３の間が密閉されているので、ＬＥＤ照明装置１００内に虫等が侵入するのを防ぐ効果も併せて生じさせることができる。
【００５７】
この透光性カバー３は、図１乃至図３及び図７に示すように、透光性カバー３を連続した曲面形状にすることや、透光性カバー３に高密度となる光拡散面を形成するシボ加工を施したり、材料に拡散剤を含有させたりして、さらに均一に照射することができる。
【００５８】
（３．その他）
以上のように、本実施形態では、ＬＥＤ基板１５がベース部材１０の周縁部１０ａから中心部に向かって前面側に傾斜して配置されている。これらによってＬＥＤ照明装置１００は、省スペース化でき、良好な意匠性を示すことができる。なお、本実施形態ではベース部材１０の形状を円盤形にしたが、必ずしもこれに限定されるものではなく、断面が４角形等からなる扁平な多角柱であってもよい。
【００５９】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００６０】
本発明は、リビングや和室、更に、寝室や子供部屋等の各居室や廊下、玄関等の天井面や壁面等に沿って設置されるＬＥＤ照明装置として、広く適用することができる。
【符号の説明】
【００６１】
１：ＬＥＤランプ本体
１０：ベース部材
１０ａ  ベース部材の周縁部
１１：取付部
１２：取付延出部
１３：点灯基板
１４：基板固定台
１５：ＬＥＤ基板
１６：ＬＥＤ素子
１７：接続線
１８：切り欠き
１９：コンデンサ
２０：ケーブル固定部材
２１：接続端子
２２：常夜灯
３：透光性カバー
３１：蓋
４： 天井面
５： 引掛シーリングボディ
６：ロゼット
１００：ＬＥＤ照明装置
【要約】
【課題】  簡易な構造でありながら広く均一な照射を確保しつつ省スペース化を実現することができると同時に、天井面の引掛シーリングボディに簡単に取り付けることができる。
【解決手段】  ＬＥＤ照明装置１００は、天井等の被取付部に取り付けられるＬＥＤランプ本体１と、このＬＥＤランプ本体１を覆う透光性カバー３とを備えている。
このＬＥＤランプ本体１は、ベース部材１０と、このベース部材１０を天井等の被取付部に取り付ける取付部１１と、この取付部１１よりも外周側においてベース部材１０に配設される点灯基板１３と、この点灯基板１３に電気的に接続されるＬＥＤ基板１５と、
このＬＥＤ基板１５に実装されるＬＥＤ素子１６とを有している。ＬＥＤ基板１５は、ベース部材１０の周縁部１０ａから中心部に向かって前面側に傾斜して配置されている。
【選択図】  図７【図１】
0005615404.tif 000002
【図２】
0005615404.tif 000003
【図３】
0005615404.tif 000004
【図４】
0005615404.tif 000005
【図５】
0005615404.tif 000006
【図６】
0005615404.tif 000007
【図７】
0005615404.tif 000008